【手続補正書】
【提出日】平成18年2月2日(2006.2.2)
【手続補正１】
【補正対象書類名】明細書
【補正対象項目名】発明の名称
【補正方法】変更
【補正の内容】
【発明の名称】電子装置
【手続補正２】
【補正対象書類名】明細書
【補正対象項目名】特許請求の範囲
【補正方法】変更
【補正の内容】
【特許請求の範囲】
【請求項１】 指紋データと該指紋データに対応付けられたイメージデータを格納しておくデータ格納手段と、
指紋を読み取る指紋読取手段と、
文書や前記イメージデータを表示画面に表示する表示手段と、
前記指紋読取手段で読み取った指紋データと前記データ格納手段に格納されている指紋データとを照合する指紋照合手段と、
を備える電子装置において、
前記指紋読取手段は、前記表示画面上の特定の場所で指紋を読み取り可能に構成され、読み取られた指紋データと前記データ格納手段に格納されている指紋データとを照合し、一致すると判定された場合、該当する前記イメージデータを前記特定の場所に表示させることを特徴とする電子装置。
【請求項２】 請求項１記載の電子装置において、前記表示画面に対する指の押圧場所を検出する押圧場所検出手段を備え、前記指紋読取手段による指紋の読み取りおよび該当する前記イメージデータの表示は、前記押圧場所検出手段により検出された場所において行われることを特徴とする電子装置。
【請求項３】 請求項１記載の電子装置において、前記指紋読取手段に指紋を読み取らせる際の押圧時間を計測する時間計測手段を備えると共に、前記指紋データに対応付けられているイメージデータは前記押圧時間に応じて複数用意されており、前記イメージデータの表示は、前記押圧時間に対応したものが選択されることを特徴とする電子装置。
【請求項４】 文書の決裁権限者を設定する決裁権限者設定手段と、
前記決裁権限者の指紋データと該指紋データに対応付けたイメージデータを格納しておくデータ格納手段と、
前記文書および前記イメージデータを表示画面に表示する表示手段と、
指紋を読み取る指紋読取手段と、
前記指紋読取手段で読み取った指紋データと前記データ格納手段に格納されている決裁権限者の指紋データとを照合する指紋照合手段と、
を備える電子装置において、
前記指紋読取手段は前記表示画面に表示された前記文書上の特定の場所で指紋を読み取り可能に構成され、
前記特定の場所で読み取った指紋データと前記データ格納手段に格納されている前記文書の決裁権限者の指紋データとを照合し、一致すると判定された場合、該指紋データに対応するイメージデータを前記文書上の前記特定の場所に表示させることを特徴とする電子装置。
【請求項５】 請求項４記載の電子装置において、前記指紋読取手段は前記表示画面に表示された前記文書上の複数の特定の場所で指紋を読み取り可能に構成され、
前記複数の特定の場所で読み取った複数の指紋データと前記データ格納手段に格納されている前記文書の決裁権限者の指紋データとを照合し、一致すると判定された場合、該指紋データに対応するイメージデータを前記文書上の前記複数の特定の場所に表示させることを特徴とする電子装置。
【請求項６】  請求項５記載の電子装置において、前記指紋読取手段に指紋を読み取らせる際の押圧時間を計測する時間計測手段を備えると共に、前記指紋データに対応付けられているイメージデータは前記押圧時間に応じて複数用意されており、前記イメージデータの表示は、前記押圧時間に対応したものが選択されることを特徴とする電子装置。
【手続補正３】
【補正対象書類名】明細書
【補正対象項目名】０００１
【補正方法】変更
【補正の内容】
【０００１】
【発明の属する技術分野】
本発明は、電子計算機を用いて書類等の決裁を行う電子決裁に好適な電子装置に関し、特に書類を表示させた表示画面上において指紋を読み取り、読み取りを行った位置にその指紋に対応付けられたイメージデータを表示させる電子装置に関する。
【手続補正４】
【補正対象書類名】明細書
【補正対象項目名】０００４
【補正方法】変更
【補正の内容】
【０００４】
また、特開平５−８９２２０号公報には、電子印鑑を用いたシステムが開示されている。これは、電子印鑑をディスプレイ付きのタブレットに接触させ、印鑑から発せられる識別信号を検出し、この検出した信号を信号変換装置にて識別データ形式に変換させる。照合装置でこの識別データと予め登録されている識別データとを比較し、一致した場合に識別データに対応する捺印イメージ用データを読み出してディスプレイ付きタブレットの表示器に表示させるといったものである。
しかるに、上記従来例においては、ＩＤカードや電子印鑑を用いているため、これらＩＤカードや電子印鑑を忘れた場合のように、所持していないと決裁システムを使えないし、また盗まれた場合や不正使用された場合等を考えると、セキュリティ面で問題がある。
このような問題を解決する技術として、特開平４−１１１０６１号公報にみられるような指紋読取装置を利用するやり方がある。しかし、指紋読取装置を用いて指紋照合を行う場合、文書を表示して決裁する表示装置の他に指紋読取装置を別個に設置しなければならないことから余分なスペースが必要となり、また、操作も煩雑であるという問題がある。
【手続補正５】
【補正対象書類名】明細書
【補正対象項目名】０００５
【補正方法】変更
【補正の内容】
【０００５】
【発明が解決しようとする課題】
本発明は、上記問題点を解決すべく、ＩＤカードや電子印鑑、指紋読取装置を用いることなく、書類などを表示させた表示画面上において、指紋の読取りを行い、読み取ったその位置にその指紋に対応付けられたイメージデータを表示させることができる電子装置を提供することを目的としている。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
【課題を解決するための手段】
請求項１の発明は、指紋データと該指紋データに対応付けられたイメージデータを格納しておくデータ格納手段と、指紋を読み取る指紋読取手段と、文書や前記イメージデータを表示画面に表示する表示手段と、前記指紋読取手段で読み取った指紋データと前記データ格納手段に格納されている指紋データとを照合する指紋照合手段と、を備えた電子装置であって、前記指紋読取手段は、前記表示画面上の特定の場所で指紋を読み取り可能に構成され、読み取られた指紋データと前記データ格納手段に格納されている指紋データとを照合し、一致すると判定された場合、該当する前記イメージデータを前記特定の場所に表示させることを特徴とする。
【手続補正８】
【補正対象書類名】明細書
【補正対象項目名】０００８
【補正方法】変更
【補正の内容】
【０００８】
上記構成によれば、文書を表示させている表示画面上で指紋の読み取りを行って指紋照合を行うと同時に、読み取られた指紋データが登録されている指紋データと一致していれば、該当する指紋データに対応付けられたイメージデータ、例えば印鑑のイメージデータを指紋の読み取りを行ったその位置に表示させることができるので、電子決裁などに利用した場合、実際に捺印して決裁を行うのと同じ感覚にて決裁を行うことができるようになる。
【手続補正９】
【補正対象書類名】明細書
【補正対象項目名】０００９
【補正方法】変更
【補正の内容】
【０００９】
請求項２の発明は、請求項１に記載の電子装置において、表示画面に対する指の押圧場所を検出する押圧場所検出手段を備え、前記指紋読取手段による指紋の読み取りおよび該当する前記イメージデータの表示は、前記押圧場所検出手段により検出された場所において行われることを特徴とする。
【手続補正１０】
【補正対象書類名】明細書
【補正対象項目名】００１０
【補正方法】変更
【補正の内容】
【００１０】
この構成により、表示画面上の任意の位置での指紋の読み取りとイメージデータの表示を可能にすることができるので、任意の位置にコメントを記載して捺印するといった感覚で利用することができる。
【手続補正１１】
【補正対象書類名】明細書
【補正対象項目名】００１１
【補正方法】変更
【補正の内容】
【００１１】
請求項３の発明は、請求項１に記載の電子装置において、前記指紋読取手段に指紋を読み取らせる際の押圧時間を計測する時間計測手段を備えると共に、前記指紋データに対応付けられているイメージデータは前記押圧時間に応じて複数用意されており、前記イメージデータの表示は、前記押圧時間に対応したものが選択されることを特徴とする。
【手続補正１２】
【補正対象書類名】明細書
【補正対象項目名】００１２
【補正方法】変更
【補正の内容】
【００１２】
この構成により、指紋読取手段に指が接触している時間により、異なる種類のイメージデータを使い分けることができるようになるため、例えば、正式な承認印と認め印のように使い分けて、捺印，決裁することができるようになる。
【手続補正１３】
【補正対象書類名】明細書
【補正対象項目名】００１３
【補正方法】変更
【補正の内容】
【００１３】
請求項４の発明は、文書の決裁権限者を設定する決裁権限者設定手段と、前記決裁権限者の指紋データと該指紋データに対応付けたイメージデータを格納しておくデータ格納手段と、前記文書および前記イメージデータを表示画面に表示する表示手段と、指紋を読み取る指紋読取手段と、前記指紋読取手段で読み取った指紋データと前記データ格納手段に格納されている決裁権限者の指紋データとを照合する指紋照合手段と、を備える電子装置において、前記指紋読取手段は前記表示画面に表示された前記文書上の特定の場所で指紋を読み取り可能に構成され、前記特定の場所で読み取った指紋データと前記データ格納手段に格納されている前記文書の決裁権限者の指紋データとを照合し、一致すると判定された場合、該指紋データに対応するイメージデータを前記文書上の前記特定の場所に表示させることを特徴とする。
【手続補正１４】
【補正対象書類名】明細書
【補正対象項目名】００１４
【補正方法】変更
【補正の内容】
【００１４】
上記構成によれば、文書を表示させている表示画面上で決裁権限者が指紋の読み取りを行って指紋照合を行うと同時に、読み取られた指紋データが登録されている指紋データと一致していれば、該当する指紋データに対応付けられたイメージデータ、例えば印鑑のイメージデータを指紋の読み取りを行ったその位置に表示させることができるので、実際に捺印して決裁を行うのと同じ感覚にて電子決裁を行うことができるようになる。
【手続補正１５】
【補正対象書類名】明細書
【補正対象項目名】００１５
【補正方法】変更
【補正の内容】
【００１５】
請求項５の発明は、請求項４に記載の電子装置において、前記指紋読取手段は前記表示画面に表示された前記文書上の複数の特定の場所で指紋を読み取り可能に構成され、前記複数の特定の場所で読み取った複数の指紋データと前記データ格納手段に格納されている前記文書の決裁権限者の指紋データとを照合し、一致すると判定された場合、該指紋データに対応するイメージデータを前記文書上の前記複数の特定の場所に表示させることを特徴とする。
この構成により、複数箇所にて読み取った指紋にて指紋照合を行うことができるので、指紋照合の精度およびセキュリティをより強化することができる。
【手続補正１６】
【補正対象書類名】明細書
【補正対象項目名】００１６
【補正方法】変更
【補正の内容】
【００１６】
請求項６の発明は、請求項５に記載の電子装置において、前記指紋読取手段に指紋を読み取らせる際の押圧時間を計測する時間計測手段を備えると共に、前記指紋データに対応付けられているイメージデータは前記押圧時間に応じて複数用意されており、前記イメージデータの表示は、前記押圧時間に対応したものが選択されることを特徴とする。
この構成により、指紋読取手段に指が接触している時間に応じて、決裁権限者は異なる種類のイメージデータを使い分けることができるようになるため、例えば、正式な承認印と認め印のように使い分けて、捺印，決裁することができるようになる。
【手続補正１７】
【補正対象書類名】明細書
【補正対象項目名】００１７
【補正方法】変更
【補正の内容】
【００１７】
【発明の実施の形態】
（実施例１）
図１は、本発明に係る電子装置を電子決裁装置に適用した実施例の構成を示すブロック図である。電子決裁装置１は、システム使用者データ格納部２，ＬＣＤ等の表示部３，表示部３と一体となったタブレット４，タブレット４上で捺印すべき場所をペン等で指定する捺印場所指定部５，決裁権限者設定部６，決裁権限者データ読み出し部７，指紋データを読み取る指紋読取部８，読み取った指紋データと登録されている指紋データとを照合する指紋データ照合部９，指紋データ一致判定部１０，以下に示すプログラム等が格納されているＲＯＭ１１，ＲＡＭ１２，システム全体を制御するＣＰＵ１３等から構成されており、ＲＡＭ１２には、決裁者として設定された人の指紋データを一時的に格納する決裁者指紋データ格納部３１，決裁者が決裁するときに使用する印鑑のイメージを一時的に格納する決裁印鑑イメージ格納部３２等の各種ワークエリアが設けられている。
【手続補正１８】
【補正対象書類名】明細書
【補正対象項目名】００１９
【補正方法】変更
【補正の内容】
【００１９】
指紋データ格納部２４および印鑑イメージデータ格納部２５には、指紋データおよび印鑑イメージデータが、ビットマップ情報で格納されており、データを効率よく格納するために、適当な方法にて圧縮されて格納されている。このシステム使用者データ格納部２は、決裁者が捺印して決裁を行う端末に配置されていてもよいし、端末とネットワークにて接続されているホストコンピュータ上に配置されていてもよい。本実施例では、簡単のため、決裁者が捺印して決裁を行う端末に配置されているものとする。
図３は、本実施例の処理手順を示すフローチャートである。本実施例の電子決裁装置の動作を、このフローチャートを用いて説明する。 
【手続補正１９】
【補正対象書類名】明細書
【補正対象項目名】００２３
【補正方法】変更
【補正の内容】
【００２３】
（実施例２）
図４は、本発明に係る電子装置の第２の実施例である電子決裁装置の構成を示すブロック図である。この構成は、図１における指紋読取部８と表示部３とタブレット４を一体化したものである。捺印場所指定部５にて指定した場所にて指紋読取を行う。この技術については、例えば本出願人の出願に係る「画像読取装置」（特願平１１−１２２３１号：特開２０００−２０７５３５号公報）の指紋読取機能を持たせた液晶表示装置を用いればよい。
【手続補正２０】
【補正対象書類名】明細書
【補正対象項目名】００２５
【補正方法】変更
【補正の内容】
【００２５】
（実施例３）
図５は、本発明に係る電子装置の第３の実施例である電子決裁装置の構成を示すブロック図である。この実施例の構成は、表示部３に押圧検知部１４を設けた以外は、図４の構成と同じである。指紋を押印すべく、表示部３上の任意の位置をユーザが押すと、押圧検知部１４が指による押圧があったことを検知し、押圧のあるエリア周辺にて指紋の読取を行う。その後、指紋照合が終了した時点で、押圧を検知した部分および捺印指定部にて指定された場所に、登録されている印鑑イメージを表示する。すなわち、この例の場合は、指紋の読取が押圧検知部１４の押圧検知によりスタートし、押圧を検知したエリアにて指紋の読取を行い、押圧を検知したエリアにも印鑑イメージを表示すること以外は、前記した第１の実施例と同じであるため、詳しい動作説明は省略する。
【手続補正２１】
【補正対象書類名】明細書
【補正対象項目名】００２６
【補正方法】変更
【補正の内容】
【００２６】
（実施例４）
図６は、本発明に係る電子装置の第４の実施例である電子決裁装置の構成を示すブロック図である。この実施例の構成は、指紋読取部８が複数個存在し、この複数個の指紋読取部にて指紋を読取、両方の場所にて読み取った指紋を照合すること以外は、前記第１の実施例と同じである。図７は、この複数個の指紋読取部を設けた場合の画面上の配置例を示している。指紋を読み取るエリアとして、図７のユーザが捺印場所指定部により指定したエリア（ａ）およびユーザが表示上の任意の位置をタッチしたエリア（ｂ）の両方にて指紋を読取、この両方のエリアにて読み込んだ指紋データを予め登録されているシステム使用者データ格納部中の指紋データとを照合し、この結果により決裁者が正しいかどうかを判断するものである。その他の条件は、第１の実施例と同じであるため、詳しい説明は省略する。
【手続補正２２】
【補正対象書類名】明細書
【補正対象項目名】００２７
【補正方法】変更
【補正の内容】
【００２７】
（実施例５）
図８は、本発明に係る電子装置の第５の実施例である電子決裁装置の構成を示すブロック図である。この実施例は、時間計測部１５をさらに設け、この時間計測部１５にて押圧検知部１４が押圧を検知した後、押圧を検知している時間を計測するようにしたものである。この場合には、システム使用者データ格納部の印鑑イメージデータ格納部に、２種類以上の印鑑イメージを格納しておき、この印鑑イメージを押圧された時間に応じて使い分けるようにする。これにより、たとえば、押圧されている時間が３秒以上の場合には、正式な承認印を押圧を検知した場所に表示し、押圧されている時間が３秒以下の場合には、認め印を押圧を検知した場所に表示するように制御する。 
【手続補正２３】
【補正対象書類名】明細書
【補正対象項目名】００２９
【補正方法】変更
【補正の内容】
【００２９】
【発明の効果】
以上説明してきたように、本発明に係る電子装置は、指紋読取部と表示部とが一体的に構成されており、表示画面上の特定の場所あるいは任意の場所で人の指紋を読み取り、読み取った指紋データと予め登録してある人の指紋データとを照合して一致した場合、該当する指紋に対応付けられているイメージデータを、指紋を読み取った場所に表示させることができるので、電子決裁装置に適用した場合、捺印する場所として指定したエリアに指紋を押印するといった、より現行の印鑑捺印による決裁システムに近い自然な感覚で決裁を行うことができる。
【手続補正２４】
【補正対象書類名】明細書
【補正対象項目名】００３０
【補正方法】変更
【補正の内容】
【００３０】
また、本発明に係る電子装置は、指紋読取部と共に押圧場所を検出する押圧場所検出手段を表示部に一体的に構成したことにより、表示画面上の任意の場所での指紋の読み取りとイメージデータの表示ができるので、任意の位置にコメントを記載して捺印するといった感覚で利用することができる。
【手続補正２５】
【補正対象書類名】明細書
【補正対象項目名】００３１
【補正方法】変更
【補正の内容】
【００３１】
また、本発明に係る電子装置は、指紋読取手段にて指紋を読み取らせる際の押圧時間を計測する時間計測手段を備えたことにより、表示画面上の指紋読取手段に指が接触している時間によって異なる種類のイメージデータを使い分けることができるようになるため、例えば、正式な承認印と認め印のように使い分けて、捺印，決裁することができるようになる。
【手続補正２６】
【補正対象書類名】明細書
【補正対象項目名】００３２
【補正方法】変更
【補正の内容】
【００３２】
また、本発明に係る電子装置は、文書の決裁権限者を設定する決裁権限者設定手段を備え、指紋読取手段が前記表示画面に表示された前記文書上の特定の場所で指紋を読み取り可能に構成されていることから、文書を表示させている表示画面上で決裁権限者が指紋の読み取りを行って指紋照合を行うと同時に、読み取られた指紋データが登録されている指紋データと一致していれば、該当する指紋データに対応付けられたイメージデータ、例えば印鑑のイメージデータを指紋の読み取りを行ったその位置に表示させることができるので、実際に捺印して決裁を行うのと同じ感覚にて電子決裁を行うことができるようになる。
【手続補正２７】
【補正対象書類名】明細書
【補正対象項目名】００３３
【補正方法】変更
【補正の内容】
【００３３】
また、本発明に係る電子装置は、指紋読取手段が表示画面に表示された文書上の複数の特定の場所で指紋を読み取り可能に構成され、複数の特定の場所で読み取った複数の指紋データとデータ格納手段に格納されている文書の決裁権限者の指紋データとを照合し、一致すると判定された場合、該指紋データに対応するイメージデータを文書上の複数の特定の場所に表示させることができるので、指紋照合の精度およびセキュリティをより強化することができる。
【手続補正２８】
【補正対象書類名】明細書
【補正対象項目名】図面の簡単な説明
【補正方法】変更
【補正の内容】
【図面の簡単な説明】
【図１】
本発明に係る電子装置の第一実施例である電子決裁装置の構成を示すブロック図である。
【図２】
システム使用者データ格納部の例を示す図である。
【図３】
本発明に係る電子装置の第一実施例である電子決裁装置の処理手順を示すフローチャートである。
【図４】
本発明に係る電子装置の第２実施例である電子決裁装置の構成を示すブロック図である。
【図５】
本発明に係る電子装置の第３実施例である電子決裁装置の構成を示すブロック図である。
【図６】
本発明に係る電子装置の第４実施例である電子決裁装置の構成を示すブロック図である。
【図７】
本発明に係る電子装置の第４実施例における指紋読取部の配置例を示す図である。
【図８】
本発明に係る電子装置の第５実施例である電子決裁装置の構成を示すブロック図である。
【符号の説明】
１…電子決裁装置、２…システム使用者データ格納部、３…表示部、４…タブレット、５…捺印場所指定部、６…決裁権限者設定部、７…決裁権限者データ読み出し部、８…指紋読取部、９…指紋データ照合部、１０…指紋データ一致判定部、１１…ＲＯＭ、１２…ＲＡＭ、１３…ＣＰＵ、１４…押圧検知部、１５…時間計測部、３１…決裁者指紋データ格納部、３２…決裁印鑑イメージ格納部。